(57)【要約】  本開示は、照明器具（１１０）と、長手方向に延在し、照明器具を支持するための構造支持要素（１２０）と、管状形状を有し、構造支持要素の周りに長手方向に延在するように配置される少なくとも１つのアンテナ（１３０）とを含む、照明ポール（１００）を提供する。
2021528927.tif 000002
【特許請求の範囲】
【請求項１】
照明器具と、
長手方向に延在し、前記照明器具を支持するための内部構造支持要素と、
管状形状を有し、前記構造支持要素の周りに前記長手方向に延在するように配置される少なくとも１つのアンテナと、
を含む、照明ポールであって、
前記少なくとも１つのアンテナは、少なくとも第１のアンテナ及び第２のアンテナを含み、前記第１のアンテナ及び前記第２のアンテナは、両方とも管状形状を有し、スタック状に配置され、両方とも前記構造支持要素の周りに前記長手方向に延在し、
当該照明ポールは、一端が前記第２のアンテナに接続され、前記構造支持要素の外側と前記第１のアンテナの内面との間に設けられるルーティング空間を介してルーティングされる少なくとも１つのラジオケーブルを含む、照明ポール。
【請求項２】
前記構造支持要素は、金属及び／又は複合材料で作られたポール又はチューブである、請求項１に記載の照明ポール。
【請求項３】
当該照明ポールが設置状態にある場合、前記照明器具の重量の大部分が前記構造支持要素によって担持される、請求項１又は２に記載の照明ポール。
【請求項４】
当該照明ポールは、前記ルーティング空間内で前記構造支持要素の周りに配置され、前記少なくとも１つのラジオケーブルを支持するためのケーブルルーティング要素を含む、請求項１乃至３のいずれか一項に記載の照明ポール。
【請求項５】
前記ケーブルルーティング要素は、前記構造支持要素の一体的な部分である、請求項４に記載の照明ポール。
【請求項６】
前記ケーブルルーティング要素は、１つ以上のスロット及び／又は溝を有する、請求項４又は５に記載の照明ポール。
【請求項７】
前記構造支持要素の外側と前記第１のアンテナの内面との間の距離は、前記構造支持要素の前記長手方向に垂直な方向において、２０ｍｍ〜１５０ｍｍである、請求項１乃至６のいずれか一項に記載の照明ポール。
【請求項８】
当該照明ポールは、一端が前記照明器具に接続され、前記構造支持要素の内部を介してルーティングされる少なくとも１つの電力ケーブルを含む、請求項１乃至７のいずれか一項に記載の照明ポール。
【請求項９】
当該照明ポールは、少なくとも１つの取付ブラケットを含み、前記少なくとも１つのアンテナは、前記少なくとも１つの取付ブラケットを用いて前記構造支持要素に取り付けられる、請求項１乃至８のいずれか一項に記載の照明ポール。
【請求項１０】
前記少なくとも１つのアンテナの外側は、当該照明ポールの外側の一部を形成する、請求項１乃至９のいずれか一項に記載の照明ポール。
【請求項１１】
当該照明ポールは、地面に当該照明ポールを取り付けるためのベースと、前記ベースに取り付けられる中間ポールセクションとを含み、前記構造支持要素は、少なくとも前記中間ポールセクションと前記照明器具との間に延在する、請求項１乃至１０のいずれか一項に記載の照明ポール。
【請求項１２】
前記構造支持要素は、前記中間ポールセクションを介して及び少なくとも部分的に前記ベースを介して延在する、請求項１１に記載の照明ポール。
【請求項１３】
当該照明ポールは、ＩｏＴデバイスを受け入れるための少なくとも１つのＩｏＴ空間を含む、請求項１乃至１２のいずれか一項に記載の照明ポール。
【請求項１４】
当該照明ポールは、前記少なくとも１つのＩｏＴ空間内で一端が終端する端部を有し、前記構造支持要素の内部を介してルーティングされる少なくとも１つのデータケーブルを含む、請求項１乃至１３のいずれか一項に記載の照明ポール。
【請求項１５】
前記少なくとも１つのＩｏＴ空間の外側は、当該照明ポールの外側の一部を形成する、請求項１３又は１４に記載の照明ポール。
【発明の詳細な説明】
【技術分野】
【０００１】
本開示は、照明ポールの分野に関する。とりわけ、本開示は、少なくとも１つの統合アンテナ(integrated antenna)を有する照明ポールに関する。
【背景技術】
【０００２】
携帯電話トラフィックだけでなく、無線で接続されたインターネットオブシングス（ＩｏＴ）デバイスの増加に伴い、無線データトラフィックやブロードバンドカバレッジ等の需要が増加しているため、必要なインフラストラクチャを提供するプロバイダは、十分なアンテナ密度を提供することが困難になる可能性がある。特に都市部では、新しいセルサイトやアンテナ設置のために利用できる物理的なスペースが限られている可能性があり、そのような利用可能なスペースをめぐる競争が激しく、価格が高くなる可能性がある。
【０００３】
アンテナを他の都市インフラストラクチャ（例えば照明ポール等）と一緒に同じ場所に配置する(co-locate)ことにより、より多くの物理的なスペースを見つけなければならないという問題は、少なくとも部分的には回避されるかもしれない。しかしながら、現在利用可能な照明ポールとアンテナを組み合わせた設備は、かさばり、美観的にも魅力的ではなく、あまり柔軟性がないかもしれない。したがって、照明ポールと一緒にアンテナを提供する改善された方法が必要とされている。
【０００４】
ＵＳ２０１１／１５６９８４Ａ１は、長手方向に垂直な部材の周りに延びる複数のアンテナを有する照明ポールを開示している。
【発明の概要】
【発明が解決しようとする課題】
【０００５】
上記のニーズを少なくとも部分的に満たすために、本開示は、アンテナを照明ポールに統合する改良された方法を提供する。
【課題を解決するための手段】
【０００６】
これを達成するために、独立請求項によって規定されるような照明ポールが提供される。本開示のさらなる実施形態は、従属請求項で提供される。
【０００７】
本開示の第１の態様によれば、照明ポールが提供される。照明ポールは、照明器具と、長手方向に延在し、（例えば、地面の上に）照明器具を支持するための内部構造支持要素(internal structural support element)と、管状形状を有し、構造支持要素の周りに長手方向に延在するように配置される少なくとも１つのアンテナとを含んでもよい。
【０００８】
照明ポールは、例えば、街灯、公園の照明、又は同様のものであってもよい。少なくとも１つのアンテナは、例えば、セルラーアンテナ、ブロードバンド接続用のアンテナ、ＩｏＴ用のアンテナ、又は同様のものであってもよい。構造支持要素の周りに少なくとも１つのアンテナを設けることは、照明ポールの嵩高な形状(bulk shape)に加わらない統合デザインを提供し得る。照明ポールが設置される場合、照明器具（例えば、光源が設置されてもよい、灯器）は、構造支持要素によって支持されてもよく、アンテナの正確な位置は、構造支持要素に沿って変えられてもよい。少なくとも１つのアンテナは、例えば、照明器具の下に組み込まれてもよく、追加の(extra)アンテナが、照明器具の支持に影響を与えることなく追加されてもよい。
【０００９】
管状のアンテナは、内壁によって形成される内面及び外壁によって形成される外面を有する、周方向(circumferential)中空壁を有し、内面は、中空コアの壁を形成する。前記内壁及び前記外壁の間に、アンテナの部品を収容するための壁キャビティ(wall cavity)が形成される。構造支持要素は、前記中空コアを介して延在し、したがって、構造支持要素の外側は、管状のアンテナの内面（したがって、内壁）に面する。
【００１０】
照明ポールは、少なくとも１つのアンテナが、少なくとも第１のアンテナ及び第２のアンテナを含むようなものである。第１のアンテナ及び第２のアンテナの両方は、管状形状を有してもよく、第１のアンテナ及び第２のアンテナは、スタック状に（すなわち、それらが次々に(one after another)位置付けられるように）配置されてもよく、両方とも構造支持要素の周りに長手方向に延在する。照明ポールさらには、一端が第２のアンテナに接続され、構造支持要素の外側と第１のアンテナの内面との間に設けられるルーティング空間(routing space)を介してルーティングされてもよい少なくとも１つのラジオケーブル(radio cable)を含んでもよい。ここで、照明ポールが例えば地面に設置される場合、第２のアンテナは第１のアンテナの上にあることが想定される。構造支持要素と第１のアンテナとの間に利用可能なルーティング空間を使用することにより、第２のアンテナのためのケーブル（又は複数のケーブル）は、外部から隠されるように、且つ、例えば、（例えば、照明電力又はＩｏＴデータのための）他のケーブルが存在し得る他の空間を使用する必要なく、ルーティングされてもよい。同様に、構造支持要素と第２のアンテナとの間に設けられる同様のルーティング空間が存在してもよい。２つ以上のアンテナが含まれる場合、例えば第２のアンテナの上に位置する第３のアンテナのためのケーブルは、最初に第１のアンテナのルーティング空間を介して、次に、第２のアンテナのルーティング空間を介してルーティングされてもよい。アンテナの数がより多い場合も同様にしてルーティングされてもよい。
【００１１】
一部の実施形態では、構造支持要素は、ポール又はチューブであってもよい。構造支持要素は、例えば、金属（例えば、鋼、又は他の適切な金属等）、及び／又は、ガラス繊維若しくは炭素繊維等の複合材料で作られてもよい。照明器具を支持するために、及び、例えば風又は照明ポールに作用し得る他の力に耐えるのに十分な剛性が提供される限り、構造支持要素は、例えば、他の適切な材料から作られてもよいことも想定される。
【００１２】
一部の実施形態では、照明ポールが設置状態にある場合（すなわち、照明ポールが例えば地面に設置される場合）、照明器具の重量の大部分（又はすべて）が、構造支持要素によって担持されてもよい。その結果、照明器具の重量は、少なくとも１つのアンテナによって担持されることがほとんどなくてもよく、又は少なくとも１つのアンテナによって担持されなくてもよい。少なくとも１つのアンテナは構造支持要素の一部を形成しないので、例えば、追加なアンテナが追加されてもよく、長いアーム及び／又は重い照明器具等を支持するのに十分な構造的強度は、例えば少なくとも１つのアンテナに余分な負荷をかけることなく構造支持要素によって提供されてもよい。
【００１３】
一部の実施形態では、照明ポールはさらに、（例えば、第１のアンテナ及び／又は第２のアンテナにおける）ルーティング空間内で構造支持要素の周りに配置され、少なくとも１つのラジオケーブルを支持するためのケーブルルーティング要素(cable routing element)を含んでもよい。ルーティング要素は、チューブ又は例えばスリーブのような形状であってもよく、例えば、ルーティング空間内でのケーブルの整然とした設置を提供するために、１つ以上のケーブルが配置／案内され得るスロット／溝をその外側に備えてもよい。２つ以上のルーティング空間が設けられる場合、斯かるケーブルルーティング要素は、利用可能な各ルーティング空間に設けられてもよいことが想定される。
【００１４】
照明ポールの設置中に、例えば、ケーブルは、先ずケーブルルーティング要素内に配置されてもよいことが想定される。その後、ルーティング要素及びケーブルが、対応するアンテナ内に収められてもよい（又はその逆も可能）。すべてのケーブル及びすべての必要なケーブルルーティング要素が適切に配置され、対応するアンテナ内に収められると、最終的に、構造支持要素が、ケーブルルーティング要素及びアンテナを介して挿入されてもよい。ケーブルは、取付前にあらかじめアセンブルされ、アンテナ用の１つ以上のコネクタが取付けられてもよいことも想定される。
【００１５】
一部の実施形態では、ケーブルルーティング要素は、構造支持要素の一体的な部分であってもよい。構造支持要素のケーブルルーティング要素部分は、例えば、構造支持要素の全長に沿って延在してもよく、又は、例えば、ケーブルが設けられる若しくは設けられるであろう場所のみに存在してもよい。ケーブルルーティング要素を構造支持要素に組み込むことは、例えば、構造支持要素の径を増加させ得、それにより、例えば照明ポールに作用する外力によるアンテナの撓みの減少及び剛性／こわさの増加を提供し得る。
【００１６】
一部の実施形態では、構造支持要素の外側と第１のアンテナ（及び／又は必要に応じて第２のアンテナ、及び／又はさらなるアンテナ）の内面との間の距離は、構造支持要素の長手方向に垂直な方向において、例えば、２０ｍｍ〜１５０ｍｍであってもよい。十分な距離を設けることにより、対応するルーティング空間は、「曲げ空間(bending space)」として機能するのに十分な大きさであり得る。別の言い方をすれば、照明ポールが（例えば風からの）外力によって作用される場合、構造支持要素は、アンテナの内面に当たることなくルーティング空間（又は「曲げ空間」）内で曲がり得、それによってアンテナの損傷を回避することができる。一部の実施形態では、例えば、１つ以上のケーブルルーティング要素が構造支持要素の一体的な部分として設けられる場合、前記距離は、０ｍｍと同じくらい小さいもの（例えば、０ｍｍ〜１５０ｍｍ）であってもよいことが想定される。
【００１７】
一部の実施形態では、照明ポールはさらに、少なくとも１つの電力ケーブルを含んでもよい。少なくとも１つの電力ケーブルは、一端が照明器具（及び／又は照明器具に設けられる照明源）に接続され、構造支持要素の内部を介してルーティングされてもよい。電力用のケーブル及びアンテナ用のケーブル（すなわち、ＲＦケーブル）を別々の空間を介してルーティングすることにより、例えば干渉等の影響が回避され、又は少なくとも低減され得る。
【００１８】
一部の実施形態では、照明ポールはさらに、少なくとも１つの取付ブラケット(mounting bracket)を含んでもよく、少なくとも１つのアンテナは、少なくとも１つの取付ブラケットを用いて構造支持要素に取り付けられてもよい。取付ブラケットは、例えば、構造支持要素に取付られる場合アンテナにかかる応力を低減してもよく、アンテナ間に十分な距離を提供して、例えば、コネクション及びケーブルの設置及び／又はサービスを容易にしてもよく、構造支持要素の曲げがアンテナに及ぼす影響を低減してもよい。
【００１９】
一部の実施形態では、少なくとも１つのアンテナの外側は、照明ポールの外側の一部を形成してもよい。別の言い方をすれば、アンテナは、外部から「カモフラージュ」されるように統合されてもよく、これにより、照明ポールをより視覚的／審美的に魅力的なものにしてもよい。ここでは、アンテナは、例えば、照明ポールの残りの部分の材料と視覚的に類似し得る「レードーム(radome)」材料で覆われてもよいことが想定される。
【００２０】
一部の実施形態では、照明ポールはさらに、地面に該照明ポールを取り付けるように構成されてもよいベースを含んでもよい。照明ポールはさらに、、ベースに取り付けられ、少なくとも１つのアンテナ及び構造支持要素に向かって長手方向に沿って延在する中間ポールセクションを含んでもよい。構造支持要素は、少なくとも中間ポールセクションと照明器具との間に延在してもよい。
【００２１】
一部の実施形態では、構造支持要素は、中間ポールセクションを介して及び少なくとも部分的にベースを介して延在してもよい。これらの又は他の実施形態では、ケーブル（例えば、照明器具及び／若しくはアンテナのためのケーブル、又はＩｏＴデータケーブル等）は、中間ポールセクション及びベースを介して、例えば、地中の１つ以上のチャネル／コンジットにルーティングされてもよい。
【００２２】
一部の実施形態では、照明ポールは、ＩｏＴデバイスを受け入れる(receive)ための少なくとも１つのインターネットオブシングス（ＩｏＴ）空間を含んでもよい。
【００２３】
一部の実施形態では、照明ポールは、少なくとも１つのＩｏＴ空間内の一端で終端する端部を有し、構造支持要素の内部を介してルーティングされる少なくとも１つのデータケーブルを含んでもよい。（利用可能な場合）照明器具への電力ケーブルと同様に、電力ケーブル及びデータケーブルをＲＦアンテナケーブルとは別にルーティングすることは、例えば、干渉を低減することができる。
【００２４】
一部の実施形態では、少なくとも１つのＩｏＴ空間の外側は、照明ポールの外側の一部を形成してもよい。これはさらに、照明ポールの視覚的／審美的魅力を向上させ、外部からＩｏＴ空間も「カモフラージュ」するのに役立ち得る。
【００２５】
本開示は、特許請求の範囲に列挙されている特徴のすべての可能な組み合わせに関する。本開示の様々な実施形態のさらなる目的及び利点は、１つ以上の例示的な実施形態によって以下に述べられる。
【図面の簡単な説明】
【００２６】
ここで、例示的な実施形態が、添付の図面を参照して以下で述べられる。
【図１】図１は、本開示による照明ポールの一実施形態を概略的に示す。
【図２】図２ａ及び２ｂは、本開示による照明ポールの一実施形態で提供される構造支持要素及びアンテナの詳細を概略的に示す。
【図３】図３ａ、３ｂ及び３ｃは、本開示による照明ポールの様々な実施形態で提供されるケーブルルーティング要素を概略的に示す。
【図４】図４ａ、４ｂ及び４ｃは、本開示による照明ポールの様々な実施形態で提供される取付ブラケットを概略的に示す。
【発明を実施するための形態】
【００２７】
図面では、特に明記しない限り、同様の参照番号は同様の要素に使用される。反対に明確に述べられていない限り、図面は、例示的な実施形態を説明するために必要な要素のみを示し、明確にするために、他の要素は省略又は単に示唆されている場合がある。図示されているように、要素及び領域のサイズは、必ずしも縮尺通りに描かれているとは限らず、例えば、例示目的で誇張されている場合があり、斯くして、実施形態の一般的な構造を例示するために提供されている。
【００２８】
ここで、例示的な実施形態が、添付の図面を参照して以下でより完全に述べられる。図面は、現在好ましい実施形態を示しているが、本発明は、多くの異なる形態で実施されてもよく、本明細書で述べられている実施形態に限定されると解釈されるべきではない。むしろ、これらの実施形態は、徹底性及び完全性のために提供されており、本開示の範囲を当業者に完全に伝える。
【００２９】
図１を参照して、本開示による照明ポールが、より詳細に述べられる。
【００３０】
図１は、照明ポール１００の一実施形態を示す。照明ポール１００は、照明器具１１０と、構造支持要素１２０と、アンテナ１３０とを含む。構造支持要素１２０は、（破線で示される）長手方向ｄに延在し、照明器具１１０を支持する。アンテナ１３０は、管状形状を有し、長手方向ｄに沿って延在し、構造支持要素１２０の周りに配置される。
【００３１】
照明ポール１００さらには、中間ポールセクション１４０と、地面１６０に取付られる又は取付られてもよいベース１５０とを含む。構造支持要素１２０は、アンテナ１３０に負荷がかからない又はほとんど負荷がかからないように、照明器具１１０の重量を担持してもよい。図１に示される実施形態における照明ポール１００は、単一の照明器具１１０を有するように図示されているが、本開示による照明ポールは、２つ以上の照明器具を含んでもよいことが想定される。構造支持要素は、そのような状況においてもアンテナに負荷がかからない又はほとんどかからないように、すべての照明器具の重量を担持するように構成されてもよい。
【００３２】
照明ポールの一部の実施形態では、中間ポールセクション１４０は任意であってもよい。例えば、アンテナ（又は複数のアンテナ）及び構造支持要素が、中間ポールセクションに取って代わり、ベースまで延在することが想定されてもよい。一部の実施形態では、ベースも任意であることが想定され、又は少なくともベースが構造支持要素の一体的な部分であって、該構造支持要素が、例えば地面、屋上、フェンス、又は照明ポールが設置され得る他の構造物に直接取付られてもよいことが想定される。
【００３３】
図１に示される実施形態では、構造支持要素１２０は、照明器具１１０と中間ポールセクション１４０との間に延在する。構造支持要素１２０が、例えば、照明器具１１０から、中間ポールセクション１４０を介して、及び少なくとも部分的にベース１５０を介して等、異なる範囲で延在することも想定され得る。構造支持要素１２０の延在(extension)は、例えば予想される風の強度等の環境条件、又は例えば支持される１つ以上の照明器具の重量等に合わせられてもよい。
【００３４】
図１に示される実施形態では、照明ポール１００はさらに、１つ以上のインターネットオブシングス（ＩｏＴ）デバイスを受け入れるように（又は含むように）構成される空間１７０を含む。ＩｏＴ空間１７０は、もちろん、任意であってもよい。ＩＯＴ空間１７０が設けられる場合、構造支持要素は、ＩｏＴ空間１７０を介して照明器具１１０まで延在することが想定されてもよいが、構造支持要素は、ＩＯＴ空間１７０までのみ延在することが想定されてもよく、そのような場合、ＩＯＴ空間１７０は、照明器具１１０を支持し、例えば力を構造支持要素に伝達するように設計される。
【００３５】
アンテナ１２０の外側又は外壁１３１（図２Ａにも示されている）は、アンテナが外部から見えないように、又は少なくとも外部からはあまり視覚的に見えないように、照明ポール１００の外部表面の一部を形成する。アンテナ自体の外側は、照明ポールの外側材料の残りの部分と（視覚的外観の点で）類似してもよいが、アンテナをカモフラージュするために、アンテナの一部として追加の層（「レードーム」材料等）が設けられてもよいことが想定されている。このような追加の層はまた、環境からアンテナを保護してもよく、例えば、無線周波数の減衰等の点で調整されてもよい。
【００３６】
図２ａ及び２ｂを参照して、本開示による照明ポールにおける構造支持要素及び少なくとも１つのアンテナが、より詳細に述べられる。
【００３７】
図２ａは、長手方向ｄに沿って延在する構造支持要素１２０と、少なくとも１つのアンテナとを概略的に示す。構造支持要素１２０は、ロッドのように成形されているが、構造支持要素１２０は、角棒、三角棒、楕円棒又は同様のもの等の他の形態を有してもよいことも想定される。図２ａに示される実施形態では、少なくとも１つのアンテナは、第１のアンテナ１３０ａ及び第２のアンテナ１３０ｂを含む。第１のアンテナ１３０ａ及び第２のアンテナ１３０ｂの両方は、管状形状を有し、アンテナ１３０ａ及び１３０ｂは、スタック状に、構造支持要素１２０を囲むように配置される。異なる言い方をすれば、構造支持要素１２０は、管状アンテナ１３０ａ、１３０ｂ内に配置される。図２ａでは、２つのアンテナ１３０ａ、１３０ｂとして図示されているが、少なくとも１つのアンテナは、３つ以上のアンテナを含むことも想定され、アンテナは、必ずしも等しいものではなく、異なる形態、機能、及び複雑さを有することも想定される。
【００３８】
図２ｂは、構造支持要素１２０及び２つのアンテナ１３０ａ、１３０ｂの断面を示す。第１のルーティング空間１８４ａが、構造支持要素１２０の外側と第１のアンテナ１３０ａの内面との間に設けられる。同様に、第２のルーティング空間１８４ｂが、構造支持要素１２０の外側と第２のアンテナ１３０ｂの内面との間に設けられる。ラジオケーブル１８０が、第１のアンテナ１３０ａの第１のルーティング空間１８４ａを介してルーティングされ、一端で第２のアンテナ１３０ｂに接続される。このようにして、（第１のアンテナ１３０ａの上に配置される）第２のアンテナ１３０ｂへの接続は、外部から見えることなく、例えば、（電力用又はデータ用等の）他のケーブルがルーティングされない別個の空間で提供されてもよい。
【００３９】
構造支持要素１２０は、中空ロッドのように（例えば、円筒として）成形され、内部空間を有する。電力ケーブル１８２が、この内部空間を介して、すなわち、（構造支持要素１２０の図３ｂ及び３ｃにより詳細に示される）内部３９３を介してルーティングされる。電力ケーブル１８２が、一端において、構造支持要素１２０によって支持される１つ以上の照明器具（図示せず）に接続されてもよい。ラジオケーブル１８０及び電力ケーブル１８２の、例えばアンテナ又は照明器具に接続されない端部は、例えば、照明ポール内を地面に向かって（例えば、利用可能な場合にはベースを介して）下降し続けてもよい。もちろん、各アンテナのための２つ以上のケーブルが必要とされてもよいことが想定され、各アンテナのための２つ以上のケーブルが必要に応じてルーティング空間を介してルーティングされてもよいことが想定される。
【００４０】
図２ｂに示される実施形態は、２つのアンテナを有するが、３つ以上のアンテナが使用されてもよいことも想定される。例えば、第２のアンテナ１３０ｂの上に第３のアンテナが設けられる場合、この第３のアンテナのためのラジオケーブルは、例えば、第１のアンテナ１３０ａの第１のルーティング空間１８４ａを介して、また第２のアンテナ１３０ｂの第２のルーティング空間１８４ｂを介して、第３のアンテナに接続されるようにルーティングされてもよい。さらなるアンテナが設けられる場合、同様にして、特定のアンテナのためのケーブルが、この特定のアンテナの下に設けられるアンテナのルーティング空間を介してルーティングされてもよいことが想定される。
【００４１】
アンテナ間のスペーシングは、ケーブルが容易に接続され得るように適合されてもよく、（本明細書で後述される）１つ以上の取付ブラケットがフィットされ得るように適合されてもよく、例えば、環境条件に関して適合されてもよい。
【００４２】
図３ａ、３ｂ及び３ｃを参照して、本開示による照明ポールの様々な実施形態におけるケーブルルーティング要素が、より詳細に述べられる。
【００４３】
図３ａは、長手方向ｄに沿って延在する構造支持要素３２０と、長手方向ｄに沿って延在し、構造支持要素３２０の周りに配置されるアンテナ３３０とを含む一実施形態を概略的に示す。図３ａに示される実施形態では、アンテナ３３０の下にさらなるアンテナ（図示せず）が含まれるべきであることが想定される。ケーブルルーティング要素３９０が設けられ、構造支持要素３２０の周りに配置される。さらなるアンテナが含められると、ケーブルルーティング要素３９０は、該さらなるアンテナと構造支持要素３２０との間に設けられるルーティング空間内に位置することになる。ケーブルルーティング要素３９０は、さらなるアンテナのルーティング空間を介してルーティングされ、該さらなるアンテナの上のアンテナ３３０に一端で接続される、ラジオケーブル３８０を支持するように構成される。ケーブルルーティング要素３９０は、例えば、プラスチック材料又は金属から作られてもよく、例えば押出成形又は他の適切なモールディング／成形技術を使用して製造されてもよい。ケーブルルーティング要素３９０は、例えばガラス及び／又は炭素繊維等の複合材料から作成されてもよいことも想定される。
【００４４】
図３ｂは、長手方向ｄに沿う断面図で見たケーブルルーティング要素３９０と構造支持要素３２０との非一体的な組み合わせの一実施形態をより詳細に示す。ケーブルルーティング要素３９０は、ケーブル３８０及び３８０'が支持され得る１つ以上のスロット／溝３９２を有する。異なるスロット３９２が一緒に複数のケーブルを支持してもよく、ケーブルは、同じアンテナに属してもよく、異なるアンテナに属してもよい。例えば、ケーブル３８０は、アンテナ３３０のためのケーブルであってもよく、ケーブル３８０'は、別のアンテナのためのケーブルであるが、ケーブル３８０と同じルーティング空間を介してルーティングされるケーブルであってもよい。スロット／溝３９２は、ケーブルルーティング要素３９０及び／又は構造支持要素３２０の長手方向に沿って延在してもよい。
【００４５】
長手方向ｄに垂直な方向における、構造支持要素３２０の外側とアンテナ（例えばアンテナ３３０、及び／又は例えば、図２ａに示される実施形態における第１のアンテナ１３０ａ）の内面３３２との間の距離ｄ１は、構造支持要素が内面／内側面３３２に衝撃を与えることなく曲がり得るように十分に大きく設けられてもよい。前記内面３２２は、管状のアンテナの内壁によって形成され、構造支持要素３２０の外側３９１に面する。距離ｄ１は、例えば、２０ｍｍ〜１５０ｍｍであってもよいが、例えば、予想される環境条件（風速等）、照明ポールの高さ、照明ポールの重量、支持される照明器具の重量、アンテナのタイプ、１つ以上のルーティング空間を介してルーティングされるべきケーブルのサイズ等に応じて、他の距離が適用されてもよいことも想定される。
【００４６】
図３ｃは、ケーブルルーティング要素３９０が構造支持要素３２０の一体的な部分である、別の実施形態を示す。ケーブルルーティング要素３９０のスロット／溝３９２は、構造支持要素３２０の全長に沿って延在してもよいが、スロット／溝３９２は、必要なときにのみ、すなわち、ケーブルがルーティングされる構造支持要素３２０の部分に沿ってのみ存在してもよいことも想定される。本明細書で先に述べたように、ケーブルルーティング要素３９０を構造支持要素３２０の一体的な部分として設けることは、構造支持要素３２０の径を増加させ、その結果、剛性／こわさを増加させ、例えば強風による構造支持要素３２０（及びアンテナ）の撓みを減少させることを可能にし得る。図３ｃに示される実施形態では、上記の距離ｄ１は、０ｍｍと小さい、すなわち、ケーブルルーティング要素／構造支持要素の外縁、すなわち、外側３９１と、周囲のアンテナの内側表面３３２との間に距離がないことが想定されてもよい。
【００４７】
図４ａ、４ｂ及び４ｃを参照して、本開示による照明ポールの様々な実施形態における取付ブラケットが、より詳細に述べられる。
【００４８】
図４ａは、取付ブラケット４２２を含む一実施形態を概略的に示す。アンテナ４３０は、取付ブラケット４２２を用いて構造支持要素４２０に取付られる。取付ブラケット４２２は、例えば、１つ以上のボルト／ネジ４２４を使用して固定されてもよいが、代わりに、又は追加で、他の固定手段が設けられてもよいことも想定される。取付ブラケット４２２は、例えば、隣接するアンテナ間の距離を提供してもよく、構造支持要素の撓みがアンテナ自体に影響を与えない又はほとんど影響を与えないような構造支持要素へのアンテナの取付を提供してもよい。もちろん、特に２つ以上のアンテナが照明ポールに含まれる場合、２つ以上の取付ブラケットが設けられてもよいことも想定される。
【００４９】
アンテナ４３０上のラジオポート(radio port)４３４も図４ａに示されている。ラジオポート４３４において、例えば、ラジオケーブルが、アンテナ４３０に接続されてもよい。もちろん、アンテナ４３０（及び本明細書で述べられる他のアンテナ）は、２つ以上のラジオポートを含んでもよいことが想定される。
【００５０】
図４ｂは、取付ブラケット４２２が第１の部分４２２ａ及び第２の部分４２２ｂを含む、別の実施形態を概略的に示す。構造支持要素（図示せず）は、２つの部分４２２ａ及び４２２ｂの間の開口部４２８内に挿入され、２つの部分４２２ａ及び４２２ｂを一緒にクランプすることによってそこに固定されてもよい。図４ａの取付ブラケット４２２について示されるように、図４ｂに示される取付ブラケット４２２は、例えば、２つの部分４２２ａ及び４２２ｂによって形成されるフランジ４２６でアンテナ４３０に取付られてもよい。
【００５１】
図４ｃは、取付ブラケット４２２が複数の距離要素(distance element)４２３を含む、他の実施形態を概略的に示す。（図４ｃの左側に示されるように）構造支持要素４２０をアンテナに取付けるために使用される場合、取付ブラケット４２２は、例えば管状のアンテナの開口部の円周(circumference)から離れた位置で構造支持要素を固定してもよい。図４ｃから見えるように、また本明細書で先に述べたように、構造支持要素４２０は、アンテナのためのケーブルが案内／支持され得る複数の溝／スロットを含む、（構造支持要素４２０の一部として一体化されてもよい）ケーブルルーティング要素を含んでもよい。
【００５２】
アンテナ内に構造的支持要素を設けることにより、本開示の照明ポールは、アンテナを照明ポールと同じ場所に配置するためのより柔軟な方法を提供することができる。構造的支持要素は、照明器具の重量がアンテナによって担持されない又はほとんど担持されないように、照明ポールの照明器具を支持してもよい。これは、アンテナの形状／構造的強度を適合させる必要なく、１つ以上の照明器具が担持されることを可能にし、ひいては、より広範囲の適当なアンテナが、照明ポール内に統合されることを可能にする。
【００５３】
特徴及び要素が特定の組み合わせにおいて上述されたが、各特徴又は要素は、他の特徴及び要素なく単独で用いられてもよく、又は他の特徴及び要素との若しくは他の特徴及び要素なく様々な組み合わせにおいて用いられてもよい。
【００５４】
さらに、図面、本開示、及び添付の請求項の検討によって、開示される実施形態に対する変形形態が、当業者により理解されることができ、また、特許請求される発明を実施する際に実行されることができる。請求項では、単語「含む（comprising）」は、他の要素を排除するものではなく、不定冠詞「１つの（a）」又は「１つの（an）」は、複数を排除するものではない。特定の特徴が、互いに異なる従属請求項内に列挙されているという単なる事実は、これらの特徴の組み合わせが、有利に使用され得ないことを示すものではない。
【図１】
2021528927.tif 000003
【図２ａ】
2021528927.tif 000004
【図２ｂ】
2021528927.tif 000005
【図３ａ】
2021528927.tif 000006
【図３ｂ】
2021528927.tif 000007
【図３ｃ】
2021528927.tif 000008
【図４ａ】
2021528927.tif 000009
【図４ｂ】
2021528927.tif 000010
【図４ｃ】
2021528927.tif 000011
【国際調査報告】
2021528927.tif 000012
2021528927.tif 000013
2021528927.tif 000014